(57)【要約】      （修正有）【課題】延長管の屈折が簡単な動作によりなされ、未屈折の時には延長管相互間の締結が堅固に維持される構成が単純であり、屈折した延長管において、屈折部分と被掃除面とが相互摩擦し損傷されることを防止し、吸込ブラシの移動が容易にする。【解決手段】真空掃除機の屈折延長管は、ジョイント部を備えた第１延長管、前記第１延長管のジョイント部が挿入される第２延長管、前記第１及び第２延長管を取り囲む密閉カバー、及び前記密閉カバーと第１延長管との間に設置され、外周面に少なくとも１つの結合突起を備えたロックボタンを含み、前記密閉カバー及び前記第１または第２延長管のうち少なくとも１つには、前記ロックボタンの結合突起が選択的に挿入される少なくとも１つの結合溝がそれぞれ形成されたことを特徴とする。なお、前記密閉カバーは、被掃除面に接触して転がるホイールをさらに含み、前記ホイールの外周面には繊維束が設置される。【選択図】図７
2006192248.tif 000002
【特許請求の範囲】
【請求項１】
ジョイント部を備えた第１延長管、
前記第１延長管のジョイント部が挿入されるジョイント収容部を備えた第２延長管、
前記第１及び第２延長管を取り囲む密閉カバー、及び
前記密閉カバーと第１延長管との間に設置され、外周面に少なくとも１つの結合突起を備えたロックボタン、を含み、
前記密閉カバー及び前記第１または第２延長管のうち少なくとも１つには、前記第１延長管が前記第２延長管に対して回転されるように、前記ロックボタンの結合突起が選択的に挿入される少なくとも１つの結合溝がそれぞれ形成されたことを特徴とする真空掃除機の屈折延長管。
【請求項２】
前記ロックボタンを、前記第１延長管から遠ざかる方向に弾性押圧するように、前記ロックボタンと前記第１延長管との間に設置された弾性部材をさらに含むことを特徴とする請求項１に記載の真空掃除機の屈折延長管。
【請求項３】
前記密閉カバーには、前記ロックボタンの一部分が突出され得るボタンホールが形成されたことを特徴とする請求項２に記載の真空掃除機の屈折延長管。
【請求項４】
前記結合溝は、前記密閉カバー及び前記第１延長管に突出した複数個の突起の間に形成された空間であることを特徴とする請求項１乃至３のいずれかに記載の真空掃除機の屈折延長管。
【請求項５】
前記結合溝は、前記密閉カバーにボタンホール円周上に形成された第１結合溝、前記第１延長管ジョイント部上の前記第１結合溝と対応する位置に形成された第２結合溝及び第３結合溝を含むことを特徴とする請求項４に記載の真空掃除機の屈折延長管。
【請求項６】
前記第３結合溝は、複数個の線形突起により形成されたことを特徴とする請求項５に記載の真空掃除機の屈折延長管。
【請求項７】
前記密閉カバーは、被掃除面に接触して転がるホイールをさらに含むことを特徴とする請求項１に記載の真空掃除機の屈折延長管。
【請求項８】
前記ホイールの外周面には繊維束が設置されたことを特徴とする請求項７に記載の真空掃除機の屈折延長管。
【発明の詳細な説明】
【技術分野】
【０００１】
本発明は、真空掃除機の屈折延長管に関し、より詳しくは、ベッド、ソファ等の家具の下部空間を便利に掃除できる真空掃除機の延長管に関する。
【背景技術】
【０００２】
一般に、真空掃除機は、本体、本体内に設けられ吸込力を発生する吸込源、本体内に設けられた汚物が捕集される汚物収去室、被掃除面と接触する吸込ブラシ、本体と吸込ブラシとの間を連結する延長流路からなっている。このような延長流路は、真空掃除機の種類によって多様に設けられるが、一般にキャニスター型真空掃除機の場合、本体と作動ハンドルを連結するフレキシブルホースと、作動ハンドルと吸込ブラシを連結する延長管とからなっている。
【０００３】
前述のような真空掃除機でベッドやソファのような家具の下部空間を掃除するためには、ユーザは、腰を屈めるかまたは姿勢を低めた状態で吸込ブラシを家具の下部空間に入れて、延長管を寝かせて掃除を行わなければならない。これにより、ベッドやソファのような家具の下部空間を掃除するためのユーザの掃除姿勢が不便であるという問題点が発生する。
【０００４】
一方、このような問題点を解決するために、韓国登録特許１０−０４５１７２８に開示されたような下部延長管、上部延長管、下部延長管と上部延長管との間に設置され、下部延長管が所定角度で折れるようにする関節部、関節部を選択的に折り畳むように調節するロック調節手段を含む真空掃除機用屈折延長管が創案された。
【０００５】
ところが、このような屈折延長管は、未屈折の際に下部延長管が１つのロック突起により未屈折状態を維持しているため、使用中に屈折が解除される恐れがある。
【０００６】
また、下部延長管を屈折させるためにロック調節手段を引っ張ってから放すという動作が必要であるので、操作においてユーザに不便であり、下部延長管が伸びる過程において、ロック突起によるかかり衝撃があるという問題点があった。
【０００７】
また、屈折した延長管で家具の下部空間を掃除する時、屈折部分が被掃除面と当接することもあり、屈折部分と被掃除面が摩擦し損傷される恐れがあり、摩擦により吸込ブラシの移動が容易でないという問題点があった。
【特許文献１】韓国登録特許１０−０４５１７２８
【発明の開示】
【発明が解決しようとする課題】
【０００８】
本発明は、前記のような問題点を解決するために創案されたものであって、本発明の目的は、延長管の屈折が簡単な動作によりなされ、未屈折の時には延長管の相互間の締結が堅固に維持される、構成の単純な真空掃除機の延長管を提供することにある。
【０００９】
本発明の他の目的は、屈折した延長管で家具の下部空間を掃除する時、屈折部分と被掃除面が相互摩擦し損傷されることを防止し、吸込ブラシの移動が容易な真空掃除機の延長管を提供することにある。
【課題を解決するための手段】
【００１０】
前記のような問題点を解決するための本発明による真空掃除機の屈折延長管は、ジョイント部を備えた第１延長管、前記第１延長管のジョイント部が挿入されるジョイント収容部を備えた第２延長管、前記第１及び第２延長管を取り囲む密閉カバー、及び前記密閉カバーと第１延長管との間に設置され、外周面に少なくとも１つの結合突起を備えたロックボタン、を含み、前記密閉カバー及び前記第１または第２延長管のうち少なくとも１つには、前記第１延長管が前記第２延長管に対して回転するように、前記ロックボタンの結合突起が選択的に挿入される少なくとも１つの結合溝がそれぞれ形成されることを特徴とする。
【００１１】
ここで、前記ロックボタンを、前記第１延長管から遠ざかる方向に弾性押圧するように、前記ロックボタンと前記第１延長管との間に設置された弾性部材をさらに含むことが好ましい。なお、前記密閉カバーには、前記ロックボタンの一部分が突出され得るボタンホールが形成されることが好ましい。
【００１２】
前記結合溝は、前記密閉カバー及び前記第１延長管に突出した複数個の突起の間に形成された空間であることが好ましく、前記結合溝は、前記密閉カバーのボタンホール円周上に形成された第１結合溝、前記第１延長管ジョイント部上の前記第１結合溝と対応する位置に形成された第２結合溝及び第３結合溝を含むことが好ましい。ここで、前記第３結合溝は、複数個の線形突起により形成されることが好ましい。
【００１３】
また、前記密閉カバーは、被掃除面に接触して転がるホイールをさらに含むことが好ましい。ここで、前記ホイールの外周面には繊維束が設置されることが好ましい。
【発明の効果】
【００１４】
以上のような本発明による真空掃除機の屈折延長管によると、第一にユーザが腰を屈めるか、姿勢を低める必要なく簡単なロックボタン操作のみで延長管を屈折させることができる。従って、ベッドやソファのような家具の下部分も容易に掃除できて、ユーザの便宜性が増大する。
【００１５】
第二に一般の被掃除面を掃除する場合、即ち、延長管の屈折が不要な場合には、ロックボタンの結合突起が第１、２結合溝に全て挿入された状態にあって、第１延長管と第２延長管との相互間の締結が堅固に維持される。従って、信頼性が増大する。
【００１６】
第三に第１延長管と第２延長管との屈折及び締結維持が結合突起と第１、２、３結合溝とのみよりなっている。従って、屈折延長管の構成が単純となり、製造コストが減少する。
【００１７】
第四に被掃除面に接触して転がるホイールとホイールの外周面に形成された繊維束とにより、屈折した延長管で家具の下部空間を掃除する時、屈折部分と被掃除面とが相互摩擦し損傷されることを防止し、吸込ブラシの移動が容易である。
【発明を実施するための最良の形態】
【００１８】
（実施形態１）
以下、添付した図面に示すように、本発明の好適な第１実施形態を詳説する。
【００１９】
図１及び図２に示すように、第１実施形態による真空掃除機の屈折延長管１００は、第１延長管１１０と、第２延長管１２０と、密閉カバー１３０と、ロックボタン１４０と、弾性部材１５０とを含む。
【００２０】
前記第１延長管１１０は、前記第２延長管１２０のジョイント収容部Ｊ２に挿入される円筒形ジョイント部Ｊ１を有する。
【００２１】
ジョイント部Ｊ１の前面には、第１延長管１１０が屈折した場合にも、吸込口１２１と連通するよう長ホール１１７が形成される。
【００２２】
ジョイント部Ｊ１の側面円周上には、第１カバー１３１の第１結合溝１３１ｃと対応する位置に第２結合溝１１２が形成される。なお、ジョイント部Ｊ１の側面底部には、第１結合溝１３１ｃと対応する位置に第３結合溝１１４が形成される。
【００２３】
このような第２結合溝１１２は、複数個の突起１１１により形成される。即ち、一対の突起１１１により１つの第２結合溝１１２が形成され、本実施形態においては、４つの第２結合溝１１２を形成するために合わせて８個の突起１１１が用いられた。
【００２４】
第３結合溝１１４は、複数個の線形突起１１３により形成される。即ち、一対の線形突起１１３により１つの第３結合溝１１４が形成され、本実施形態においては、４つの第３結合溝１１４を形成するために合わせて４つの線形突起１１３が用いられた。また、ジョイント部Ｊ１の側面底部の中心には、弾性部材１５０を設置するための第１設置溝１１５が形成される。
【００２５】
前記第２延長管１２０は、第１延長管１１０に設けられた円筒形ジョイント部Ｊ１が屈折可能に結合されるように、前記円筒形ジョイント部Ｊ１と対応する形状のジョイント収容部Ｊ２を含む。
【００２６】
ジョイント収容部Ｊ２の前面には、楕円形の切欠き部１２２と、切欠き部１２２と開放された左側面とを連結する連結部１２３が形成されている。このような切欠き部１２２により、第１延長管１１０の屈折角度θが制限される。また、連結部１２３を介して第１延長管１１０のジョイント部Ｊ１が矢印Ａ方向にジョイント収容部Ｊ２が挿入可能となる。説明しない図面符号１２５は、第２延長管１２０に他の延長管を締結または分離するためのボタンを示す。
【００２７】
前記密閉カバー１３０は、第１及び第２延長管１１０、１２０の連結部Ｊ１、Ｊ２間の吸込力低下を防止し、ロックボタン１４０の離脱を防止する。このため、密閉カバー１３０は、第１及び第２カバー１３１、１３２からなる。
【００２８】
第１カバー１３１と第２カバー１３２はネジで締結され、第１カバー１３１には、第１カット部１３１ｄが、第２カバー１３２には第２カット部１３２ｄが形成される。このような第１カット部１３１ｄと第２カット部１３２ｄにより第１カバー１３１と第２カバー１３２が結合されても、第１延長管１１０が図５Ａに示すように、矢印ＡまたはＢ方向に動くことができる。
【００２９】
第１カバー１３１には、ロックボタン１４０を外部に露出させるためのボタンホール１３１ａがロックボタン１４０の外周面と対応する大きさで貫通形成される。
【００３０】
また、このようなボタンホール１３１ａの円周上には、第１結合溝１３１ｃが形成される。このような第１結合溝１３１ｃは、複数個の突起１３１ｂにより形成される。即ち、一対の突起１３１ｂにより１つの第１結合溝１３１ｃが形成され、本実施形態においては、４つの第１結合溝１３１ｃを形成するために合わせて４つの突起１３１ｂが用いられた。
【００３１】
このような突起１３１ｂは、摩擦部１３１ｂｂが形成されるように段差されており（図３参照）、図５Ａに示したように、ロックボタン１４０が矢印Ｐ方向にプッシュ（ｐｕｓｈ）されると、結合突起１４１の上面１４３ａａ（図２参照）が摩擦部１３１ｂｂと接触しながらスライドすることができる。
【００３２】
図２に示すように、前記ロックボタン１４０は、押え部１４１と、離脱防止部１４２と、結合突起１４３とを含む。
【００３３】
押え部１４１は、矢印Ｂ方向にボタンホール１３１ａへ挿入される円形の突起であって、ロックボタン１４０をプッシュするためにユーザが押える部分である。このような押え部１４１の後面には、弾性部材１５０が設置される第２設置溝１４１ａが形成され、第２設置溝１４１ａの中心には、弾性部材１５０をより堅固に支持するように弾性部材１５０の一側が挿入される十字突起１４１ａａが形成される。
【００３４】
離脱防止部１４２は、ボタンホール１３１ａに挿入されたロックボタン１４０が矢印Ｂ方向にボタンホール１３１ａを介して抜き出されないようにする押え部１４１を取り囲む円形の縁である。
【００３５】
結合突起１４３は、第１結合突起１４３ａと第２結合突起１４３ｂとからなる。
【００３６】
第１結合突起１４３ａは、押え部１４１の円周と離脱防止部１４２の上面とに形成される四角形の突起である。図４Ｂ及び図５Ｂに示すように、このような第１結合突起１４３ａは、ロックボタン１４０のリリース（ｒｅｌｅａｓｅ）の時、第１結合溝１３１ｃに挿入された状態であり、ロックボタン１４０のプッシュの時には第１結合溝１３１ｃから離脱される。
【００３７】
第２結合突起１４３ｂは、第１結合突起１４３ａと連結された第１結合突起１４３ａよりスリムな四角形の突起である。図４Ｂ及び図５Ｂに示すように、このような第２結合突起１４３ｂは、ロックボタン１４０のリリースの時、第２結合溝１１２に挿入された状態であり、ロックボタン１４０のプッシュの時には第２結合溝１１２と第３結合溝１１４とに共に挿入される。
【００３８】
このように第２結合突起１４３ｂが第３結合溝１１４に挿入される程度にプッシュされると、第１結合溝１３１ｃから第１結合突起１４３ａが離脱され得る。従って、第１延長管１１０が屈折可能となる。
【００３９】
一方、本実施形態において、このような結合突起１４３を押え部１４１を中心として放射状に４つ配置することができるが、必要によっては、２つを対称に配置することもできる。
【００４０】
図２に示すように、前記弾性部材１５０は、第１設置溝１１５と第２設置溝１４１ａとの間に設置されるコイルバネであって、ロックボタン１４０を第１延長管１１０から遠ざかる方向である矢印Ｂ方向に押圧する。このような弾性部材１５０によりロックボタン１４０がプッシュされた後、プッシュする力が除去されると、ロックボタン１４０が自動的にリリースされる。
【００４１】
以下、第１実施形態による真空掃除機の屈折延長管１００の作動を説明する。
【００４２】
図４Ａは、第１延長管１１０の屈折前の第１、２、３結合溝１３１ｃ、１１２、１１４と結合突起１４１との結合関係を示した図であって、これをより明確に示すために、密閉カバー１３０は、第１結合溝１３１ｃが形成される部分のみを残して省略した。また、図４Ｂは、このような図４Ａの要部断面図である。
【００４３】
図４Ａ及び図４Ｂに示すように、一般的な被掃除面、例えば、床等を掃除する時は、このように屈折角度θ（図５Ａ参照）を０度に固定した状態で掃除作業を行う。この際、第１結合突起１４３ａは第１結合溝１３１ｃに、第２結合突起１４３ｂは第２結合溝１１２に挿入された状態である。これにより、第１延長管１１０が屈折しようとしても、第１結合突起１４３ａが第１延長管１１０に対して固定された第１カバー１３１の第１結合溝１３１ｃに挿入されているので、矢印Ａ方向に屈折しない。
【００４４】
図５Ａは、第１延長管１１０の屈折後の第１、２、３結合溝１３１ｃ、１１２、１１４と結合突起１４１との結合関係を示した図であって、これをより明確に示すために、密閉カバー１３０は、第１結合溝１３１ｃが形成される部分のみを残して省略した。また、図５Ｂは、このような図５Ａの要部断面図である。
【００４５】
図５Ａ及び図５Ｂに示すように、ベッドやソファの下部空間を掃除する場合、ユーザは、第１延長管１１０を矢印Ａ方向に屈折させることにより、ベッドやソファの下部空間を便利に掃除することができる。
【００４６】
このために、ユーザは、ロックボタン１４０を矢印Ｐ方向にプッシュする。このようにロックボタン１４０がプッシュされると、図４Ａ及び図４Ｂに示した状態から、図５Ａ及び図５Ｂに示したように、第１結合突起１４３ａは第１結合溝１３１ｃから離脱され、第２結合突起１４３ｂは第２結合溝１１２及び第３結合溝１１４に共に挿入された状態に転換される。
【００４７】
図５Ｂに示すように、第１結合突起１４３ａが第１結合溝１３１ｃから離脱されると、図４Ａの矢印Ｅ部分にあった第１結合突起１４３ａの上面１４３ａａが摩擦部１３１ｂｂと接触しながら図５Ａの矢印Ｆ部分へ移動する。従って、図５Ａに示したように、第１延長管１１０が第１カバー１３１に制限されず、矢印Ａ方向に屈折する。
【００４８】
因みに、このような屈折角度θは、最大４５度であることが好ましく、このような屈折角度θの大きさは、第２延長管１２０のジョイント収容部Ｊ２の切欠き部１２２（図２参照）により調節することができる。
【００４９】
家具の下部分に対する掃除が終了すれば、床面の掃除のために第１延長管１１０の屈折角度θが０度となるように第１延長管１１０を伸ばす。この時、ユーザが手で第１延長管１１０を握って矢印Ｂ方向に直接伸ばすこともできるが、第１延長管１１０を一定の高さで保持し、第２延長管１２０が自重により落ちるようにして、第１延長管１１０を矢印Ｂ方向に伸ばすこともできる。
【００５０】
このように第１延長管１１０が伸ばされる過程において、図５Ａの矢印Ｆ方向に位置した結合突起１４３は、図４Ａの矢印Ｅが指す位置に移動する。
【００５１】
この時、ロックボタン１４０は、弾性部材１５０（図２参照）の弾性力によりボタンホール１３１ａ（図２参照）の外に露出され、同時に第１結合突起１４３ａは、第１結合溝１３１ｃにさらに挿入される。このような過程を経て第１延長管１１０が伸ばされることになる。
【００５２】
（実施形態２）
以下、図６及び図７に示したように、第２実施形態による屈折延長管２００を説明する。因みに、第１実施形態と同一な作用を行う第２実施形態の構成要素は、第１実施形態と同一な参照符号を用いることにして、説明を省略する。
【００５３】
図６に示すように、密閉カバー１３０は、被掃除面と接触して転がることのできるホイール１６０をさらに含む。なお、ホイール１６０の外周面には繊維束１７０が設置されている。
【００５４】
図７に示すように、ホイール１６０は、密閉カバー１３０の下端に回転自在に設けられる輪であって、被掃除面１０を損傷することなく、円滑に転がるように、ゴム材質やウレタン材質で制作される。
【００５５】
このようなホイール１６０は、ユーザが家具の下のような被掃除面１０を掃除するために屈折した延長管２００をもって吸込ブラシ２０を矢印Ｘ方向に押す場合、矢印Ｃ方向に回転し、吸込ブラシ２０を矢印Ｙ方向に引っ張る場合、矢印Ｄ方向に回転する。本実施形態においては、ホイール１６０の外周面に繊維束１７０が設置されているため、繊維束１７０と被掃除面１０との摩擦によりホイール１６０が矢印ＣまたはＤ方向に回転する。
【００５６】
このようなホイール１６０により屈折した延長管２００をもって家具の下部空間を掃除する時、密閉カバー１３０が被掃除面１０と直に触れなくなる。即ち、屈折部分が被掃除面１０と直に触れなくなる。従って、カーペットのような被掃除面１０及び密閉カバー１３０が相互摩擦して、被掃除面１０と密閉カバー１３０が損傷されることを防止する。また、吸込ブラシ２０の移動が容易になる。従って、ユーザの吸込ブラシ２０を押すか引っ張る力が減少して、掃除作業が容易になる。
【００５７】
繊維束１７０は、複数個の繊毛で構成しており、ホイール１６０の外周面に接着または圧入されて設置される。このような繊維束１７０により、カーペットのような被掃除面１０の損傷防止効果がさらに大きくなる。即ち、ソフトな繊維束１７０が被掃除面１０に触れることにより、ホイール１６０が被掃除面１０に直に触れることに比べ被掃除面１０の損傷を減少させることができる。
【００５８】
因みに、参照符号３０は掃除機本体を、参照符号４０はフレキシブルホースを、参照符号５０は操作部を示す。
【００５９】
以上では、本発明の原理を例示するために本発明の好適な実施形態について図示し説明したが、本発明は上述した特定の実施形態に限定されるものではなく、特許請求の範囲で請求している本発明の要旨を逸脱することなく本発明に対する種々の変形及び修正が可能であることは当業者であれば理解できることであろう。よって、そのような変更及び修正は本発明の特許請求の範囲に含まれるものと見なすべきである。
【図面の簡単な説明】
【００６０】
【図１】本発明である屈折延長管の第１実施形態を示す斜視図である。
【図２】図１の屈折延長管の分解斜視図である。
【図３】図２の第１密閉カバーの後面を示す斜視図である。
【図４Ａ】第１延長管の屈折以前の第１、２、３結合溝と結合突起との結合関係を示す図である。
【図４Ｂ】図４Ａの要部断面図である。
【図５Ａ】第１延長管の屈折以後の第１、２、３結合溝と結合突起との結合関係を示す図である。
【図５Ｂ】図５Ａの要部断面図である。
【図６】本発明である屈折延長管の第２実施形態を示す斜視図である。
【図７】図６の屈折延長管が採用された真空掃除機を示す斜視図である。
【符号の説明】
【００６１】
１００   屈折延長管
１１０   第１延長管
１１２   第２結合溝
１１４   第３結合溝
１１５   第１設置溝
１２０   第２延長管
１３０   密閉カバー
１３１   第１カバー
１３２   第２カバー
１３１ａ ボタンホール
１３１ｃ 第１結合溝
１４０   ロックボタン
１４１   押え部
１４２   離脱防止部
１４３   結合突起
１４３ａ 第１結合突起
１４３ｂ 第２結合突起
１５０   弾性部材
１６０   ホイール
１７０   繊維束
Ｊ１、Ｊ２円筒形ジョイント及びジョイント収容部
【図１】
2006192248.tif 000003
【図２】
2006192248.tif 000004
【図３】
2006192248.tif 000005
【図４Ａ】
2006192248.tif 000006
【図４Ｂ】
2006192248.tif 000007
【図５Ａ】
2006192248.tif 000008
【図５Ｂ】
2006192248.tif 000009
【図６】
2006192248.tif 000010
【図７】
2006192248.tif 000011